(57)【要約】【課題】  倒壊や傾きに強く、高い耐震性を発揮すると共に、石材の解体、組立、部分交換、修理、移動、移転等に優れた効果を有する墓石を提供すること。【解決手段】  複数の石材を重積させて形成される墓石であって、かかる墓石は、夫々の石材を隙間が有する状態で点接または線接状態にて接合させて重積したことを特徴とする。【選択図】      図１
2005207211.tif 000002
【特許請求の範囲】
【請求項１】
複数の石材を重積させて形成される墓石であって、かかる墓石は、夫々の石材を隙間を有する状態で点接または線接状態にて接合させて重積したことを特徴とする墓石。
【請求項２】
前記墓石は、石材の上面または／および下面に設けられた、周囲に傾斜部を有する浅溝と、前記石材に重積される石材の底面周囲に設けられた、前記浅溝の傾斜部内に点接または線接状態に接合される傾斜部とで構成される請求項１記載の墓石。
【請求項３】
前記浅溝に先細状の深溝を設けると共に、重積される石材の上面または／および下面に、前記深溝内に隙間を有する状態で収容される先細状の突起部を設けた請求項２記載の墓石。
【請求項４】
前記墓石が五輪塔、角柱墓、宝篋印塔、多宝塔、無縫塔、層塔、洋風墓、地蔵墓、観音墓である請求項１乃至３のうちいずれか一項記載の墓石。
【発明の詳細な説明】
【技術分野】
【０００１】  本発明は、複数の石材を重積させて形成される墓石であって、特に、高い耐震性を発揮すると共に、石材の部分交換や修理、解体、組立、移動等に優れた効果を有する墓石に関する。
【背景技術】
【０００２】  従来、石材相互の重積安定度を増大させ、転倒や横滑りを阻止することができる墓石がある（例えば、特許文献１参照）。
【特許文献１】実公昭４８−４４８００号公報（第１−２頁、図１）
【発明の開示】
【発明が解決しようとする課題】
【０００３】  上掲特許文献１の墓石は、竿石の下端部と該下端下面中央部のテーパの付いた突起が、上台石の上面中央部に設けた浅窪みと該浅窪み中央部に設けた深窪みに夫々嵌合され、又上台石の下端部と該下端部下面中央部のテーパの付いた上台石突起が、下台石の上面中央部に設けた下台石浅窪みと該窪み中央部に設けた下台石深窪みに夫々嵌合されて成ることを特徴としている。しかしながら上記墓石は、各台石の底面と浅窪みが面状に接触されているため、修理、解体、組立時に石材の角が欠けるという欠点があった。さらに重積後は、接続部分の隙間（アソビ）がなくなり、全体が傾きに対して弱いという問題も生じた。【０００４】  そこで本発明は、上記した従来技術の問題点を解消し、倒壊や傾きに強く、高い耐震性を発揮すると共に、石材の解体、組立、部分交換、修理、移動、移転等に優れた効果を有する墓石を提供することにある。
【課題を解決するための手段】
【０００５】  上記課題を解決するために、本発明の墓石は、複数の石材を重積させて形成される墓石であって、かかる墓石は、夫々の石材を隙間を有する状態で点接または線接状態にて接合させて重積したことを特徴とする。また前記墓石は、石材の上面または／および下面（上面のみ、または下面のみ、さらには上下面）に設けられた、周囲に傾斜部を有する浅溝と、前記石材に重積される石材の底面周囲に設けられた、前記浅溝の傾斜部内に点接または線接状態に接合される傾斜部とで構成される。また、前記浅溝に先細状の深溝を設けると共に、重積される石材の上面または／および下面に、前記深溝内に隙間を有する状態で収容される先細状の突起部を設けた。さらに、前記墓石が五輪塔、角柱墓、宝篋印塔、多宝塔、無縫塔、層塔、洋風墓、地蔵墓、観音墓であることが好ましい。
【発明の効果】
【０００６】  本発明は、夫々の石材が嵌め込み式になっているので、解体や組立、また部分交換や修理等が容易となり、さらには移動や移転等の作業性も向上する。また、夫々の石同士が点接や線接状態で接続されており、さらには各石材の接合部分に隙間（アソビ）が形成されているため、各石が独立してバランスをとることができ、倒壊や傾きに強く、高い耐震性を発揮することができる。
【発明を実施するための最良の手段】
【０００７】  以下、本発明による墓石の実施の形態を図面に基づいて説明する。
図示する本発明の墓石１は、倒壊や傾きに強く、高い耐震性を発揮すると共に、石材の解体、組立、部分交換、修理、移動、移転等に優れた効果を有するものである。
【０００８】  図１乃至図５に示す墓石１は五輪塔１０を表すもので、下部より下台石１１、上台１２、地輪石１３、水輪石１４、火輪石１５、および最上部の空輪ａと風輪ｂからなる空風輪石１６とで構成されている。また、前記五輪塔１０の各石材の接合個所は、夫々の石材が隙間を有する状態で点接または線接にて接合されている。
【０００９】  前記五輪塔１０の下台石１１の上面略中央には、側面に傾斜部２１を施した浅溝２０が形成されている。また、前記下台石１１の上面に重積される上台石１２の底面２３には、前記下台石１１の傾斜部２１内に点接または線接状態に接合される傾斜部２２が形成されている。そのため、下台石１１の上部に上台石１２を重積させた場合、上台石１２の底面２３の傾斜部２２が、下台石１１の浅溝２０内に点接または線状態で接合され、さらには、下台石１１の浅溝２０と上台石１２の底面２３との間には僅かな隙間ｄが形成される。
【００１０】  また、上台石１２の上面には、側面に傾斜部２５を有する浅溝２４が形成されており、かかる上台石１２の上面に重積される地輪石１３の底面２６の周囲には傾斜部２７が形成されている。そのため、上台石１２の上面に地輪石１３を重積させた場合、地輪石１３の傾斜部２７が、上台石１２の傾斜部２５内に点接または線接状態で接合される。さらには、上台石１２の浅溝２４と地輪石１３の底面２６との間には僅かな隙間ｄが形成される。
【００１１】  上記構造により、地震や振動が発生した場合、図３に示すように、上台石１２がずれて下台石１１の浅溝２０内に隙間ｄ幅落下する。またこの際、上台石１２の底面２３および傾斜部２２が、下台石１１の浅溝２０および傾斜部２１の内部に点接または線接状態で係止される。同様に、地輪石１３の底面２６および傾斜部２７も上台石１２の浅溝２４内で係止される。そのため、夫々の浅溝内に落下した上部石材の底部は、浅溝内に収容される状態となるため、横方向へのズレが抑止されて倒壊や傾きを防ぐことができる。
【００１２】  地輪石１３の上面には、周囲に傾斜部２９を有する浅溝２８が形成され、さらに、浅溝２８の中央部分にはテーパ状に形成された先細の深溝３０が穿設されている。また、前記地輪石１３の上面に重積される水輪石１４の底部には、地輪石１３の浅溝２８内に配設される底面３１と、底面３１の中央部分に突設された突起部３２が形成されている。そのため、地輪石１３の上面に水輪石１４を重積した場合、地輪石１３の深溝３０内に水輪石１４の突起部３２が収容された状態となり、また、深溝３０と突起部３２との間、および浅溝２８と底面３１との間には隙間ｄが形成される。また、水輪石１４の上部には、平面状の上面３３と、上面３３の中央部分に設けられたテーパ状の突起部３４が形成されている。
【００１３】  前記水輪石１４の上部に重積される火輪石１５の底面３５には、周囲に傾斜部３７を施した浅溝３６と、該浅溝３６内に設けられたテーパ状の深溝３８が形成されている。また火輪石１５の上面には、周囲に傾斜部４０を施した浅溝３９と、該浅溝３９の中央部に設けられたテーパ状の深溝４１が形成されている。そのため、水輪石１４の上面に火輪石１５を重積した場合、水輪石１４の突起部３４が火輪石１５の深溝３８内に収容された状態となり、突起部３４と深溝３８の間、および上面３３と浅溝３６との間には隙間ｄが形成される。
【００１４】  また、火輪石１５の上面に重積される空風輪石１６の底面４２の中央部には、テーパ状の突起部４３が形成されている。そのため、火輪石１５の上部に空風輪石１６を重積させた場合、火輪石１５の深溝４１内に空風輪石１６の突起部４３が収容された状態となり、深溝４１と突起部４３、および浅溝３９と底面４２との間に隙間ｄが形成される。
【００１５】  上述の構成により、地震や振動が発生した場合、図４に示すように、水輪石１４がズレて傾斜した際、水輪石１４の底面３１が地輪石１３の浅溝２８の隙間ｄだけ落下する。またこの時、水輪石１４の底面３１の周囲が、地輪石１３の傾斜部２９の内部に点接もしくは線接状態で係止される。さらに、水輪石１４の突起部３２が地輪石１３の深溝３０の周囲に係止される。同様に、火輪石１５下面の浅溝３６が水輪石１４の上面３３と、空風輪石１６の底面４２が火輪石１５の浅溝３９と夫々係止される。なお、夫々の浅溝の形状は通常矩形状に形成されるが、これに限らず、図５に示すように、円形状の水輪石１４が重積される場合、地輪石１３の上面には円形状の浅溝２８が設けられる。
【００１６】  また、他の好適例として、図６に示すように、棹石５１、上台石５２、下台石５３とで構成される角柱墓石５０においては、棹石５１の底面５４に突起部５５を形成し、上台石５２の上面に浅溝５６と深溝５７を設け、互いに隙間ｄを有する状態で重積させ、また、下台石５３と上台石５２とを、下台石５３上面の浅溝５８と、上台石５２の下部側面５９とを互いに接合させ、互いに隙間ｄを有する状態で重積させることもできる。
【００１７】  さらに、他の好適例として、前記構成の墓石が図７に示す宝篋印塔６０、図８に示す多宝塔６１、図９に示す無縫塔６２、図１０に示す層塔６３、図１１に示す洋風墓６４であり、地蔵墓や観音墓（図示せず）であることが好ましい。
【図面の簡単な説明】
【００１８】
【図１】本発明の墓石である五輪塔の分解斜視図である。
【図２】前記五輪塔の組立時の断面図である。
【図３】前記五輪塔の下部が傾斜した状態の断面図である。
【図４】前記五輪塔の上部が傾斜した状態の断面図である。
【図５】前記五輪塔の一部接合部分を示す斜視図である。
【図６】本発明の墓石である角柱墓の断面図を示す。
【図７】本発明の墓石である宝篋印塔の正面図を示す。
【図８】本発明の墓石である多宝塔の正面図を示す。
【図９】本発明の墓石である無縫塔の正面図を示す。
【図１０】本発明の墓石である層塔の正面図を示す。
【図１１】本発明の墓石である洋風墓の正面図を示す。
【符号の説明】
【００１９】１    墓石
１０  五輪塔
１１  下台石
１２  上台石
１３  地輪石
１４  水輪石
１５  火輪石
１６  空風輪石
２０  浅溝
２１  傾斜部
２２  底面
２３  傾斜部
２４  浅溝
２５  傾斜部
２６  底面
２７  傾斜部
２８  浅溝
２９  傾斜部
３０  深溝
３１  底面
３２  突起部
３３  上面
３４  突起部
３５  底面
３６  浅溝
３７  傾斜部
３８  深溝
３９  浅溝
４０  傾斜部
４１  深溝
４２  底面
４３  突起部
５０  角柱墓
５１  棹石
５２  上台石
５３  下台石
５４  底面
５５  突起部
５６  浅溝
５７  深溝
５８  浅溝
５９  下部側面
６０  宝篋印塔
６１  多宝塔
６２  無縫塔
６３  層塔
６４  洋風墓
ａ  空輪
ｂ  風輪
【図１】
2005207211.tif 000003
【図２】
2005207211.tif 000004
【図３】
2005207211.tif 000005
【図４】
2005207211.tif 000006
【図５】
2005207211.tif 000007
【図６】
2005207211.tif 000008
【図７】
2005207211.tif 000009
【図８】
2005207211.tif 000010
【図９】
2005207211.tif 000011
【図１０】
2005207211.tif 000012
【図１１】
2005207211.tif 000013